(57)【要約】  【目的】記録手段とプラテンとの間隔（紙間）を容易に適正値に保持することができ、安定して高品位の画像記録を行うことができる画像形成装置を提供する。                【構成】複数の吸引孔２３ａが形成されたプラテン２３を開口２６ｂを有するプラテン取付部材２６にシール状態で固定し、開口２５ａを有する中空のステイ２５にゴム状弾性体のシール部材２８を介してプラテン取付部材をシール状態で固定し、プラテン取付部材を介してステイにねじ係合する調整用ビス２３ｃをプラテンに設け、ステイに対するプラテンの高さをシール部材及び調整用ビスによりシール状態で調整することで記録手段４１とプラテン２３との間の間隔を調整する。【選択図】                図４
2005169788.tif 000002
【特許請求の範囲】
【請求項１】
記録手段により記録を行うための画像形成領域を通して搬送される記録媒体を案内するためのプラテンに複数の吸引孔を形成し、開口を有するプラテン取付部材にシール部材を介して前記プラテンをシール状態で固定し、開口を有する中空のステイにゴム状弾性体のシール部材を介して前記プラテン取付部材をシール状態で固定し、前記プラテン取付部材を介して前記ステイにねじ係合する調整用ビスを前記プラテンに設け、前記ステイに対する前記プラテンの高さを前記シール部材及び前記調整用ビスによりシール状態で調整することで、前記記録手段と前記プラテンとの間の間隔を調整することを特徴とする画像形成装置。
【請求項２】
前記プラテン取付部材は側面形状がＬ字状の板部材であることを特徴とする請求項１に記載の画像形成装置。
【請求項３】
前記プラテンは前記記録手段の移動方向に複数個に分割され、前記プラテン取付部材及び前記ステイの各プラテンに対応するそれぞれの位置に開口部が設けられていることを特徴とする請求項１又は２に記載の画像形成装置。
【請求項４】
前記ステイの内部に吸引手段が接続されていることを特徴とする請求項１〜３のいずれかに記載の画像形成装置。
【請求項５】
前記プラテン取付板と前記ステイの間にバネ部材が設けられていることを特徴とする請求項１〜４のいずれかに記載の画像形成装置。
【発明の詳細な説明】
【技術分野】
【０００１】
本発明は、記録手段によって記録媒体に画像を形成する画像形成装置に関し、特に画像形成部で記録媒体を案内するプラテンの構成に関する。
【背景技術】
【０００２】
記録紙や記録フィルムなどの記録媒体を搬送させながら画像記録を行う画像形成装置として、特許文献１に記載されたものが知られている。以下にかかる従来の装置の一例について詳細に説明する。図６において、画像形成装置１００は、ロール状の記録紙Ｐｒを回転可能に保持し給紙するための給紙機構としてのロールホルダ１１０と、送り出された記録紙を保持しながら画像形成のための搬送（紙送り）するための搬送機構１２０と、搬送される記録媒体に対し画像情報を基づいて画像形成を行う画像形成機構１４０と、画像形成した記録紙を機外へ排出する排紙機構１３０と、で構成されている。
【０００３】
搬送機構１２０には、画像形成の際に記録紙Ｐｒを所定量ずつ紙送りするための搬送ローラ（ＬＦローラ）１２１と、該搬送ローラに所定の加圧力で押圧されて従動回転する複数個のピンチローラ１２２と、記録紙を吸引しつつ平面状に保持するためのプラテン（吸引プラテン）１２３と、が設けられている。画像形成機構１４０は、画像情報に基づいて記録紙に記録する記録手段としての記録ヘッド１４１と、該記録ヘッドを保持し搬送方向と直交する方向に往復走査（主走査）するキャリッジ１４８と、を備えている。複数のピンチローラ１２２は、主走査方向に装置全域に配されているメインステイ１５０に回転自在に取り付けられている。
【０００４】
搬送ローラ１２１を回転可能に保持する複数個の搬送軸受（ＬＦ軸受）１２４は、密閉の空洞構造を持つ下ステイ１２５上に配されている。また、複数個のプラテン孔１２３ａを有する吸引プラテン１２３は下ステイ１２５にシール状態（気密状態）で固定されている。また、下ステイ１２５の内部空洞はプラテン吸引ファン１７０が接続され、下ステイ１２５の上面の中央部数箇所に開口部１２５ａが形成されている。以上の構成により、下ステイ１２５の内部をダクトとしてプラテン吸引ファン１７０によりプラテン孔１２３ａから吸引を行い、記録紙Ｐｒを吸着する。これにより、記録動作の際の紙浮きや記録後の波打ち（コックリング）等を防止することができ、それによって記録画像の画質向上及び記録動作の信頼性向上を図ることができる。
【０００５】
このような画像形成装置においては、記録紙の表面と記録ヘッドの吐出口面との間隔（これを紙間という）は、所定の間隔に均一に精度良く保持する必要がある。これが所定値より大きいと、インク吐出方向のズレによる着弾位置ズレが発生（ヨレ）したり、吐出後のインク滴が紙面に到達する前に失速して着弾ドット径が小さくなる（ショボ）など、画像精度を低下させる原因となる。また、上記の失速したインク滴が紙面に着弾せずに装置内を浮遊（インクミスト化）し、各機構部に付着して動作不良や制御不良等を引き起こす可能性もある。
【０００６】
一方、上記間隔（紙間）が所定値より狭いと、着弾精度は向上するが、反り（カール）の大きい紙や剛性のない薄い紙などの場合、吸引プラテンで吸引しきれない若干の浮きやしわなどが生じ、画像形成のときに記録ヘッドと接触して画像品位を低下させたり、さらには、記録ヘッドの吐出口面（吐出口配設面）を損傷するなどの可能性がある。特に、記録ヘッドの吐出口から記録紙へインクを吐出して記録を行うインクジェット記録方式の画像形成装置の場合、記録動作の際の紙浮きや記録後の波打ち（コックリング）が発生し、これを吸引プラテンで吸引しきれないと、前述と同様の不都合が発生する可能性がある。    
【特許文献１】特開２００３−０１２２０５号公報
【発明の開示】
【発明が解決しようとする課題】
【０００７】
しかしながら、前述のような構成の画像形成の場合、紙間は、下ステイ１２５及び吸引プラテン１２３の平面度、上ステイ（メインステイ）１５０の真直度、下ステイ１２５と上ステイ１５０とのアラインメント等に依存しているため、これらの精度を全て維持できないと、紙間を適正値に維持することは困難である。特に、大判機では主走査方向に長くなるため、上ステイ１５０及び下ステイ１２５の部品精度維持が困難となり、自重による撓み等によっても紙間にバラツキが生じてしまう。また、ピンチローラ１２２が上ステイ１５０に取り付けられ、搬送ローラ１２１が下ステイ１２５に取り付けられている場合、その反力による撓みが増大し、紙間精度はさらに悪化してしまう。本発明はこのような技術的課題に鑑みてなされたものであり、本発明の目的は、記録手段とプラテンとの間隔（紙間）を容易に適正値に保持することができ、安定して高品位の画像記録を行うことができる画像形成装置を提供することである。
【課題を解決するための手段】
【０００８】
本発明による画像形成装置は、上記目的を達成するため、記録手段により記録を行うための画像形成領域を通して搬送される記録媒体を案内するためのプラテンに複数の吸引孔を形成し、開口を有するプラテン取付部材にシール部材を介して前記プラテンをシール状態で固定し、開口を有する中空のステイにゴム状弾性体のシール部材を介して前記プラテン取付部材をシール状態で固定し、前記プラテン取付部材を介して前記ステイにねじ係合する調整用ビスを前記プラテンに設け、前記ステイに対する前記プラテンの高さを前記シール部材及び前記調整用ビスによりシール状態で調整することで、前記記録手段と前記プラテンとの間の間隔を調整することを特徴とする。
【発明の効果】
【０００９】
本発明によれば、プラテンの高さをシール部材及び調整用ビスによりシール状態で調整することで、記録手段とプラテンとの間の間隔を調整するように構成したので、記録手段とプラテンとの間隔（紙間）を容易に適正値に保持することができ、安定して高品位の画像記録を行うことができる画像形成装置が提供される。
【発明を実施するための最良の形態】
【００１０】
以下、図面を参照して本発明の実施の形態を具体的に説明する。なお、各図面を通して同一符号は同一又は対応部分を示すものである。図１は本発明を適用した画像形成装置の一実施形態を斜め前方から見て示す模式的斜視図であり、図２は図１の画像形成装置を斜め後方から見て示す模式的斜視図であり、図３は図１の画像形成装置の内部の概略構成を一部破断して示す模式的斜視図である。図４は本発明を適用した画像形成装置の一実施形態（図１）の要部の詳細構造を示す模式的縦断面図であり、図５は図４の画像形成装置の搬送機構及び吸引プラテン機構を示す模式的斜視図である。
【００１１】
図１〜図５において、画像形成装置１は、大きく分けて、回転可能に保持したロール状の記録媒体としての記録紙Ｐｒを給紙するためのロール紙ホルダから成る給紙機構１０と、給紙された記録紙に画像情報に基づいて画像形成（記録）を行う画像形成機構４０と、画像形成機構の通紙経路を通して記録紙を保持しながら搬送（紙送り）する搬送機構２０と、画像形成された記録紙Ｐｒを機外へ排出するための排紙機構３０と、より構成されている。前記排紙機構３０には、排出される記録紙Ｐｒを受けるとともに排紙姿勢をコントロールするための排紙カバー３１と、記録紙Ｐｒの上面側に配置されて排紙口を形成する開閉可能なトップカバー３２と、が設けられている。トップカバー３２は、内部が密閉かつ空洞構造となるブロー成形で形成されている。本実施形態では、軽量、高剛性、金型コストなどの理由からブロー成形品が採用されており、これは、特に大型機の外装部品などで近年多く採用されている。
【００１２】
ロール紙ホルダ１０は、ロール紙Ｐｒをスプール軸１１及び一対のスプールフランジ１２Ｌ、１２Ｒにより回転自在に保持し、一方のスプールフランジ１２Ｌをスプール軸１１に沿ってスライド可能にすることでロール紙Ｐｒの幅方向を規制するように構成されている。また、ロール紙ホルダ１０は、ロール紙Ｐｒを給送するためのロール紙給送ローラ１３と、これに所定の加圧力で押圧される複数個の従動コロ１４を備えている。さらに、ロール紙ホルダ１０は、ロール紙Ｐｒの交換を容易にするため、一対のスライドレール１５Ｌ、１５Ｒによりにより、装置本体１に対して引出し可能に支持されている。
【００１３】
ロール紙給送ローラ１３の駆動は、不図示の給紙モータから伝達される駆動力によって行われる。搬送機構２０は、画像形成のときに記録紙を所定量搬送（紙送り）するための搬送ローラ（ＬＦローラ）２１と、これに所定加圧力によって押圧されつつ従動回転する複数個のピンチローラ２２と、記録紙Ｐｒを吸引しつつ平面状に保持するための吸引プラテン２３と、を備えている。画像形成機構４０は、画像形成手段（記録手段）としての記録ヘッド４１と、記録ヘッド４１を保持し記録紙搬送方向Ｙ（副走査方向）と交差（例えば直交）する方向Ｘに往復移動（主走査）するキャリッジ４８とを備えている。
【００１４】
先ず、画像形成機構４０の構成について説明する。本実施形態における記録ヘッド４１は画像情報に基づいて吐出口から記録紙Ｐｒへインクを吐出して画像形成（記録）を行うインクジェット記録ヘッドである。すなわち、記録ヘッド４１を保持するキャリッジ４８の主走査方向の往復移動に同期させて、画像データに基づくヘッド駆動信号により吐出口から記録紙Ｐｒにインク滴を吐出して画像を形成していくように構成されている。キャリッジ４８の軸受４２及びスライド軸受４３は、装置本体に主走査方向全域に設置されたメインステイ５０に平行に取り付けられたメインレール５１及びサブレール５２に摺動自在に嵌合されている。また、前記軸受４２とスライド軸受４３は、キャリッジ４８の移動方向と直交する方向の両端部に設けられている。
【００１５】
なお、スライド軸受４３の方は、矢印Ｙ方向（副走査方向、記録媒体搬送方向）に摺動可能であり、スライドバネ４３ａによりサブレール５２へ所定の加圧力で付勢（押圧）されている。キャリッジ４８の往復移動は、メインステイ５０の片側端部近傍に配設キャリッジモータ（不図示）の正逆方向の駆動力をキャリッジベルト５４を介して受ける（伝達される）ことにより行われる。このキャリッジ４８の駆動制御は、リニアセンサ４４からの検知信号により行われる。
【００１６】
以上の構成により、キャリッジ４８は常にメインレール５１に対し一方へバネ付勢される（押し付けられる）ことになり、そのため、キャリッジが移動するときの振動や軸受４２の嵌合ガタ内の暴れ等が防止されており、従って、一層高品位の画像形成が可能である。スライド軸受４３の上側部位にはリニアセンサ４４が装着されている。このキャリッジ４８上のリニアセンサ４４は、メインステイ５０上に主走査方向に配置されて取り付けられたリニアスケール５３の目盛り（又はスリット）を読み取ってその検知信号を発生する。この検知信号により、キャリッジ４８の駆動制御、並びに前述の画像形成の制御が行われる。
【００１７】
本実施形態では、リニアセンサ４４として比較的安価で取り扱い性に優れた光学式のものが使用され、所定ピッチでスリットが形成されたリニアスケール５３のスリット数をカウントすることによりキャリッジ４８の位置制御が行われる。光学式リニアセンサは、比較的安価で取り扱い性に優れている反面、汚れや傷に不利であり、特に、インクジェット記録装置においてはインクミスト等の付着による制御不良を起こす可能性がある。これに対し、本実施形態では、リニアスケール５３はインクミストが最も多く発生する画像形成のための領域から最も離れた位置に配設されており、そのため、インクミストがリニアスケール５３に付着することはない。
【００１８】
次に、搬送ローラ２１及び吸引プラテン２３等を含む搬送機構２０について説明する。図４及び図５において、搬送機構２０には、記録手段としての記録ヘッド４１により記録を行うための画像形成領域（記録領域）を通して搬送される記録媒体Ｐｒを案内するためのプラテン２３が配設されている。搬送ローラ２１は記録手段（記録ヘッド）４１の各主走査の間に動作して記録紙Ｐｒを所定ピッチずつ搬送（紙送り）するが、その搬送精度が画像品位に大きく関与する。そのため、搬送ローラ２１の外径や振れなどは高精度に仕上げられている。さらに、搬送ローラ２１のローラ表面をサンドブラスト加工したり、ローラ表面にアルミナ粉を塗着するなどの方法で、搬送ローラ２１の表面摩擦係数を高めることにより、記録紙のスリップを極力防ぐ方策が採られている。搬送ローラ２１は、一端部に連結される搬送モータ（ＬＦモータ）６０により駆動される。
【００１９】
ピンチローラ２２は、ピンチローラアーム２２ａに回転自在に軸支され、その後部のピンチローラバネ２２ｂにより搬送ローラ２１に向けて付勢（押圧）されており、これらはピンチローラホルダ２２ｃによってユニット化されている。ピンチローラホルダ２２ｃは、前述のメインステイ５０に取り付けられている。搬送ローラ２１を回転可能に軸支する複数個の搬送（ＬＦ）軸受２４は、中空のステイ２５、すなわち密閉の空洞構造を有する下ステイ２５の上に配されている。
【００２０】
上記プラテン２３は吸引プラテンであり、これには複数のプラテン孔２３ａが形成されている。このプラテン孔２３ａを通して負圧吸引することにより記録紙Ｐｒ等の記録媒体がプラテン２３上に吸着される。この吸引機構については後述する。本実施形態では、プラテン２３は記録ヘッド４１（キャリッジ４８）の移動方向に複数個に分割されており、図示の例では、吸引プラテン２３は、主走査方向に分割された複数個（図示の例では２個）の吸引プラテン２３、２３で構成されている。各吸引プラテン２３は実質的に同じ構成を有し、同様の作用効果を奏するので、以下では、特に断らない限り一つの吸引プラテン２３について説明し、他の吸引プラテン２３についてはその説明を準用する。
【００２１】
各吸引プラテン２３は、その下端部の全周に当接（密着）するシール部材としてのプラテンシール２７を介して、複数個のビス２３ｂにより、プラテン取付部材（プラテン取付板）２６の上面にシール状態（密封状態）で固定されている。プラテン取付部材２６は側面から見てＬ字形をした板金部品で形成されている。ここで、プラテン２３は、長くなるほど平面度の精度維持が困難であり、成形型が高価になるなどの理由から、本実施形態では、一体化構造とはせず、前述のように主走査方向に複数個に分割して構成されている。このような構成は、画像形成装置の大型化に対しても有利である。分割された各プラテン２３のそれぞれは実質的に同じ構成を有している。
【００２２】
プラテン取付部材としての取付板２６は、ゴム状弾性体のシール部材２８、すなわち弾力性を有する下ステイシール２８を介して、ビス２６ａにより、下ステイ２５（その前面）に固定されている。この場合、プラテン取付板２６は、下ステイ２５の上面に対して、ゴム状弾性体の下ステイシール２８を介してシール状態で固定する必要があることから、下ステイ２５に対して上下位置調節可能に取付けられる構造になっている必要がある。そのため、プラテン取付板２６の前記ビス２６ａの取付孔の形状は縦長形状となっている。さらに、吸引プラテン２３の中央部には、プラテン取付板２６と係合してステイ２５にねじ係合（締結）される調整用ビス２３ｃが設けられている。
【００２３】
ここで、プラテン取付部材２６は、側面から見てＬ字状の板金部材であるため、それ自身バネ性を有するとともに、その下側（下面）に密着するゴム状弾性体から成るシール部材（下ステイシール）２８の弾力性（バネ性）により上方へ付勢されている。そこで、前記調整用ビス２３ｃを緩めることによりプラテン取付板２６を上方へ位置調整することができ、ねじ込む（締める）ことによりプラテン取付板２６を下方へ位置調整することができる。これによって、下ステイ２５の上面開口部の周囲を下ステイシール２８で密封（シール）した状態でプラテン２３の高さを所定範囲で自在に調整することが可能である。つまり、記録手段としての記録ヘッド４１（インクジェット記録方式の場合の吐出口配設面４１ａ）と吸引プラテン２３の表面との間隔（紙間）を所定範囲で自在に調整することができる。なお、下ステイシール２８の弾力性（バネ性）が不足する場合は、プラテン取付板２６と下ステイ２５との間にバネ部材としての圧縮バネもしくは板バネを装着しても良い。このようなプラテン２３の上下位置調整の方法については、更に後で説明する。
【００２４】
吸引プラテン２３の吸引機構として、中空のステイ２５の内部に吸引手段としてのプラテン吸引ファン７０が接続されている。すなわち、下ステイ２５の片側端部に、該ステイ２５の内部（空洞部）に通じる（連通する）プラテン吸引ファン７０がダクト（吸引ダクト）７１を介して接続されている。本実施形態では、プラテン吸引ファン７０として、少ない電力で容易に高い出力（静圧）が得られるシロッコファンが使用されている。下ステイ２５の上面の中央部の数カ所に開口部２５ａ（本実施形態では２箇所）が形成されている。本実施形態では、各開口部２５ａは、複数個に分割された吸引プラテン２３のそれぞれの下部の位置に形成されている。また、プラテン取付板２６の各開口部２５ａに対応する位置にも開口部２６ｂ（本実施形態では２箇所）が形成されている。
【００２５】
以上の構成により、画像形成装置１の背面に配置されたプラテン吸引ファン７０で発生された吸引負圧は、順次、吸引ダクト７１、下ステイ２５の空洞部、各開口部２５ａ、各開口部２６ｂ、各吸引プラテン２３を介して、複数のプラテン孔２３ａに導入される。そして、該プラテン孔２３に作用する負圧吸引力によって記録紙Ｐｒは吸引プラテン２３のプラテン面に吸着される。これにより、記録動作のときの紙浮きや記録後の波打ち（コックリング）などを無くすことができる。
【００２６】
次に、記録ヘッド４１（インクジェット記録ヘッドの場合はインク吐出口が配設された吐出口面）と吸引プラテン２３の表面（プラテン面）との間の隙間（紙間）の大小を調整する方法、すなわち吸引プラテン２３の紙間調整の方法について説明する。吸引プラテン２３の高さ調整は、図５に示すような治具８０を用いて行われる。治具８０は、前述のキャリッジ４８の記録媒体搬送方向の断面形状と近似した形状をしており、これに２個のダイヤルゲージ８１ａ、８１ｂが搭載されている。各ダイヤルゲージ８１ａ、８１ｂは、上下方向の高さ変位（上下位置の変化）を測定するタイプのものであり、その基準点はダイヤルゲージの先端が吸引プラテン２３のプラテン面に当接する点において紙間が適正値である位置となるように設定されている。
【００２７】
調整方法としては、第１ステップとして、吸引プラテン２３の手前側に当接するダイヤルゲージ８１ａが基準点を示す位置で、プラテン取付部材２６をビス２６ｂで下ステイ２５に固定する。第２ステップとして、吸引プラテン２３の奥側に当接するダイヤルゲージ８１ｂが基準点を示す位置になるまで、調整ビス２３ｃを締めたり（ねじ込む）、緩めたりして調整する。第３ステップとして、吸引プラテン２３が複数個ある場合（分割型である場合）は、複数箇所で上記の要領でプラテン取付板２６の位置を調整して下ステイ２５に固定し、複数の吸引プラテン２３のそれぞれを調整ビス２３ｃにより高さ調整する。以上により、吸引プラテン２３の数や下ステイ２５の長さなどに関わらず、主走査方向（メインレール５１の軸方向）の全ての箇所（全ての領域）において紙間が適正値に設定された状態を確保することができる。インクジェット画像形成装置の場合は、プラテン２３の全域において、記録ヘッド４１の吐出口面（吐出口配設面）４１ａとプラテン２３の表面との間隔が適正値に保持される状態を維持することができる。
【００２８】
すなわち、以上説明した画像形成装置は、記録手段４１により記録を行うための画像形成領域を通して搬送される記録媒体Ｐｒを案内するためのプラテン２３に複数の吸引孔２３ａを形成し、開口２６ｂを有するプラテン取付部材２６にシール部材２７を介して前記プラテンをシール状態で固定し、開口２５ａを有する中空のステイ２５にゴム状弾性体のシール部材２８を介して前記プラテン取付部材をシール状態で固定し、前記プラテン取付部材を介して前記ステイにねじ係合する調整用ビス２３ｃを前記プラテンに設け、前記ステイに対する前記プラテンの高さを前記シール部材及び前記調整用ビスによりシール状態で調整することで、前記記録手段４１と前記プラテン２３との間の間隔（紙間）を調整するように構成されている。このような構成により、ステイ２５の部品精度やアラインメント精度に関わらず、画像形成領域の全域において記録ヘッド４１とプラテン２３との間の間隔（紙間）を容易に適正値に調整保持することができ、画像サイズや紙幅等に関わらず、常に安定した高品位な画像記録を行うことができる。また、容易にプラテンの小型化及び部品精度の維持を図ることができ、成形金型の費用も安価にすることができる。
【００２９】
すなわち、以上説明した実施例によれば、記録紙Ｐｒを吸着する少なくとも１個のプラテンがシール状態で締結されているＬ字形状のプラテン取付部材２６が、吸引用のダクトを兼ねるステイ２５に対しシール状態でかつ上下変位自在に取付けられ、各プラテン２３の中央部に上下調整用ビス２３ｃを設ける構成としたので、仮に上ステイ５０や下ステイ２５等の部品精度が確保されていなくても、記録ヘッド４１とプラテン２３との間の間隔（紙間）をプラテン上の全ての位置で適正値に保持することができる。また、上下調整方式として、上方向へはシール部材２８の弾性及びＬ字形状のプラテン取付部材のバネ性を利用し、下方にはビス２３ｃで行っているため、複雑な調整機構は不要であり、簡単かつ安価に構成することができる。特に、大判機のように主走査方向に各ステイ５０、２５が長くなり、その部品精度の低下や自重による撓み等が生じたとしても、プラテン２３を複数に分割し、それぞれが独立して調整可能にすることで、全ての位置において紙間を適正値に調整し保持することができる。
【００３０】
なお、以上の実施形態では、ロール紙に記録する場合を例に挙げて説明したが、本発明は、所望サイズの記録媒体を１枚ずつ給送し、１枚ずつに画像を記録していく画像形成装置に対しても、同様に適用することができ、同様の作用効果が得られるものである。また、以上の実施形態では、インクジェット記録方式の画像形成装置を例に挙げて説明したが、本発明は、その他の記録方式の画像形成装置に対しても同様に適用することができ、同様の作用、効果が得られるものである。また、以上の実施形態においては、記録手段を記録媒体に対して移動させながら記録するシリアル記録形態の画像形成装置を例に挙げて説明したが、本発明は、記録媒体の全幅又は一部をカバーする長さのラインタイプの記録手段を用いて副走査のみで記録するライン記録形態の画像形成装置に対しても同様に適用することができ、同様の効果を奏することができるものである。
【００３１】
また、本発明は、１個の記録ヘッドを用いる画像形成装置、異なる色のインクで記録する複数の記録ヘッドを用いるカラー画像形成装置、あるいは同一色彩で異なる濃度で記録する複数の記録ヘッドを用いる階調画像形成装置、さらには、これらを組み合わせた画像形成装置の場合にも、同様に適用することができ、同様の効果を奏することができるものである。さらに、本発明は、インクジェット記録方式の画像形成装置に適用する場合、記録ヘッドとインクタンクを一体化した交換可能なインクカートリッジを用いる構成、記録ヘッドとインクタンクを別体にし、その間をインク供給用チューブ等で接続する構成など、記録ヘッドとインクタンクの配置構成がどのような場合にも同様に適用することができ、同様の効果が得られるものである。なお、本発明は、インクジェット記録方式に適用する場合、例えば、ピエゾ素子等の電気機械変換体等を用いる記録手段を使用するものである場合にも適用できるが、中でも、熱エネルギーを利用してインクを吐出する方式の記録手段を使用する画像形成装置において優れた効果をもたらすものである。かかる方式によれば、画像記録の高密度化、高精細化が達成できるからである。
【図面の簡単な説明】
【００３２】
【図１】本発明を適用した画像形成装置の一実施形態を斜め前方から見て示す模式的斜視図である。
【図２】図１の画像形成装置を斜め後方から見て示す模式的斜視図である。
【図３】図１の画像形成装置の内部の概略構成を一部破断して示す模式的斜視図である。
【図４】本発明を適用した画像形成装置の一実施形態（図１）の要部の詳細構造を示す模式的縦断面図である。
【図５】図４の画像形成装置の搬送機構及び吸引プラテン機構を示す模式的斜視図である。
【図６】本発明を適用する前の画像形成装置の一構成例を示す中央部縦断面図である。
【符号の説明】
【００３３】
１        画像形成装置
１０      給紙機構（ロール紙ホルダ）
１１      スプール軸
１３      ロール紙給送ローラ
１４      従動コロ
２０      搬送機構
２１      搬送ローラ
２２      ピンチローラ
２２ａ    ピンチローラアーム
２２ｃ    ピンチローラホルダ
２３      プラテン（吸引プラテン）
２３ａ    プラテン孔（吸引孔）
２３ｂ    ビス
２３ｃ    調整用ビス
２４      搬送軸受
２５      ステイ（下ステイ）
２６      プラテン取付部材（プラテン取付板）
２６ａ    ビス
２６ｂ    開口部
２７      シール部材（プラテンシール）
２８      シール部材（下ステイシール）
３０      排紙機構
３１      排紙カバー
３２      トップカバー
４０      画像形成機構（記録機構）
４１      記録手段（記録ヘッド）
４１ａ    吐出口面（吐出口配設面）
４２      軸受
４３      ステイ軸受
４４      リニアセンサ
４８      キャリッジ
５０      メインステイ（上ステイ）
５１      メインレール
５２      サブステイ
５３      リニアスケール
５４      キャリッジベルト
７０      吸引手段（プラテン吸引ファン）
７１      吸引ダクト
８０      治具
８１ａ、８１ｂ    ダイヤルゲージ
Ｐｒ      記録媒体（記録紙等）
【図１】
2005169788.tif 000003
【図２】
2005169788.tif 000004
【図３】
2005169788.tif 000005
【図４】
2005169788.tif 000006
【図５】
2005169788.tif 000007
【図６】
2005169788.tif 000008